(57)【要約】【課題】  ノック時の摺動抵抗を減じ、ユーザーに軽快なノック感を与えることができるノック式筆記具を提供する。また、軸筒が透明や半透明の場合に、リフィールの一部に金属製の部材を用いたとしても擦過傷による外観上の価値の低下を防いだノック式筆記具を提供する。【解決手段】  軸筒１０の内周面には、軸筒１０の長手方向に沿って突出部１０ｂが形成されている。内部のリフィールをノック機構部を用いて前後動させると、リフィールの金属製部材がこの突出部１０ｂの表面を摺動するようになる。摺動する部材の一方を金属製としたため、軸筒及びリフィールが樹脂製のものに比べ、摺動抵抗を減らすことができる。また、軸筒の内壁には、内方に突出した突出部１０ｂを形成し、この突出部１０ｂに金属製部材を摺動させるようにしたため、単に円筒状の軸筒にくらべ、金属製部材が摺動する面積を減らすことが可能になる。【選択図】  図３
2005125497.tif 000002
【特許請求の範囲】
【請求項１】
軸筒と、
この軸筒の内部に収納された、筆記チップと、筆記チップが先端に固定されたインク収納管と、インク収納管に収納されたインクとからなるリフィールと、
リフィールを前後動させ、筆記チップを軸筒の先端から出没させるノック機構部とからなるノック式筆記具であって、
前記インク収容管の外表面の少なくとも一部には、筆記チップ以外の金属製の部材が設けられ、
軸筒の内周面には内方へ突出した突出部を形成し、
前記筆記チップの軸筒からの出没時に、前記金属製部材が前記突出部に摺動するようにしたことを特徴とするノック式筆記具。
【請求項２】
前記軸筒のうち、少なくとも突出部が形成された付近は透明若しくは半透明に形成され、軸筒内部の視認が可能であることを特徴とする請求項１記載のノック式筆記具。
【請求項３】
前記突出部の間に形成され、前記金属製部材の摺動が行われない無摺動部を対向して形成したことを特徴とする請求項２記載のノック式筆記具。
【発明の詳細な説明】
【技術分野】
【０００１】
本発明は、軸筒の先端から筆記チップが出没するノック式の筆記具に関する。
【背景技術】
【０００２】
軸筒の先端から筆記チップが出没する筆記具が開示されたものとして、例えば以下の特許文献１が存在する。
【０００３】
【特許文献１】特開２００３−６３１９２号公報
【０００４】
本特許文献１では、軸筒の内部に前後方向に摺動するリフィールが収納されている。一般的に低価格の商品の場合、軸筒やリフィールは、コストを低下させることができるという理由、複雑な形状を形成することができるという理由、内部のインクが透視できるという理由などにより樹脂製で形成される場合が多い。
リフィールを前後動させ、軸筒の先端から筆記チップを出没させる場合、軸筒の内表面とリフィールの外表面とが摺動する。この摺動箇所の摺動抵抗が大きいとリフィールを前後動させようとした場合に、ユーザーに重いノック感を与えたりする場合がある。特に、軸筒及びリフィールが樹脂製の場合、摺動抵抗が大きくなる傾向がある。
【０００５】
軸筒やリフィールが樹脂製で形成されている場合、内部のリフィールが前後方向に摺動したとしても、その摺動面に擦過傷が発生するおそれはほとんどない。一方、リフィールの一部に、金属製の部材を設けると、外観を向上させたり、高級感を付与することができたり、さらには、剛性を付与させることも可能となるが、リフィールの一部に金属製の部材を用いてしまうと、この金属製部材と軸筒との間の摺動により軸筒に擦過傷が生じるおそれがある。特に、軸筒が透明や半透明の場合、この擦過傷が外部より認識できるようになるため、せっかく金属製の部材を用いて外観を向上させようとしても、かえって外観を悪くし商品自体の価値の低下を招いてしまうおそれがある。
【発明の開示】
【発明が解決しようとする課題】
【０００６】
そこで、本発明は、ノック時の摺動抵抗を減じ、ユーザーに軽快なノック感を与えることができるノック式筆記具を提供することを課題とするものである。
また、軸筒が透明や半透明の場合に、リフィールの一部に金属製の部材を用いたとしても擦過傷による外観上の価値の低下を防いだノック式筆記具を提供することを課題とするものである。
【課題を解決するための手段】
【０００７】
課題を解決する第１の手段は、軸筒と、この軸筒の内部に収納された、筆記チップと、筆記チップが先端に固定されたインク収納管と、インク収納管に収納されたインクとからなるリフィールと、リフィールを前後動させ、筆記チップを軸筒の先端から出没させるノック機構部とからなるノック式筆記具であり、前記インク収容管の外表面の少なくとも一部には、筆記チップ以外の金属製の部材が設けられ、軸筒の内周面には内方へ突出した突出部を形成し、前記筆記チップの軸筒からの出没時に、前記金属製部材が前記突出部に摺動するようにしたことを特徴とするものである。
【０００８】
筆記チップには、後述する実施形態のような先端にボールが収納されたボールペン先に限らず、サインペンなどに使用される繊維で形成された繊維状のペン先なども含む。
ノック機構部としては、筆記チップが軸筒の先端から突出及び収納される機構であれば特に問わないが、例えば回転子を用いた機構などがある。
筆記チップの出没を繰り返すと、リフィールに設けられた金属製部材と軸筒の内周面とが摺動する。このように摺動部の一方を金属製部材としてあるため、従来の樹脂と樹脂とが摺動する場合に比べ、摺動抵抗が減少し、軽快なノック感を付与することができる。
【０００９】
前記手段に加え、前記軸筒のうち、少なくとも突出部が形成された付近は透明若しくは半透明に形成し、軸筒内部の視認が可能であるようにすることもできる。
金属製部材を設けたリフィールが収納された軸筒に対し、ノック動作を繰り返すと、軸筒の内周面に金属製部材により擦過傷が形成される可能性が高い。特に対策を施さない場合、かつ、軸筒が透明若しくは半透明の場合、軸筒の内周面に傷がランダムに形成され、外観を低下させたり、軸筒の内部が傷により透視できなくなる可能性もある。
そこで、軸筒が透明若しくは半透明であっても、第１の手段のように、軸筒の内周面に突出部を形成し、この突出部に金属製部材を摺動させるようにし、傷が形成されたとしても、その擦過傷はあらかじめ意図した突出部に発生するようにでき、意図しない箇所にランダムに擦過傷が発生しないようなり、擦過傷による外観の低下を防ぐことが可能となる。
【００１０】
前記手段に加え、前記突出部の間に形成され、前記金属製部材の摺動が行われない無摺動部を対向して形成することもできる。
傷が発生しない無摺動部を形成することで、軸筒の内部を視認可能とし、さらに、無摺動部を対向して配置することで、一方の無摺動部から内部を透視した場合に、対向した無摺動部から光線が入り込むため、内部の透視状態が良好になる。
【発明の効果】
【００１１】
本発明によりノック時の摺動抵抗を減じ、ユーザーに軽快なノック感を与えることができるノック式筆記具を提供することができる。
また、軸筒が透明や半透明の場合に、リフィールの一部に金属製の部材を用いたとしても外観上の価値の低下を防いたノック式筆記具を提供することができる。
【発明を実施するための最良の形態】
【００１２】
以下本発明の実施の形態を図１から図５を用いて説明する。なお、本明細書において前方とは、筆記チップ３１方向をいい、後方とはノック機構部９０が設けられている方向をいう。
図１は本発明の実施形態を示す縦断面図であり、リフィール３０をノック機構部９０を設けた軸筒１０内に収納したものである。
リフィール３０は、内部に加圧ガスとインクとを収納したものであり、後方にインク及び加圧ガスを収納した外装部材３２と、外装部材３２の前方に設けられた金属製部材３２ｂと、リフィール３０の前端に設けられた筆記チップ３１と、筆記チップ３１を覆うチップ保持体３５とからなる。筆記チップ３１は、その先端に筆記ボールが収納されたいわゆるボールペンのペン先である。
【００１３】
軸筒１０の前方と金属製部材３２ｂとの間には、コイルスプリング４０が設けられており、リフィール３０は軸筒１０の後方に付勢されている。詳細は後述するが、ノック機構部９０は、いわゆる周知の機構を用いたものであり、回転子６０と、この回転子６０を前後方向に進退させるノック部材５０と、軸筒１０の後端から螺合固定され内壁にカム溝が形成された内筒７０とからなる。ノック部材５０の押圧を繰り返すことで、軸筒１０の先端から筆記チップ３１が出没する。
【００１４】
図２を用いてリフィール３０をもう少し詳細に説明すると、リフィール３０は、内部にインクが収納されたチューブ体３４と、チューブ体３４を内臓した収容筒体３３と、筆記チップ３１と収容筒体３３とを接続する接合部材３６と、収容筒体３３に外挿された外装部材３２と、接合部材３６の先端に配された筆記チップ３１と、筆記チップ３１に外挿されたチップ保持体３５とから構成されている。リフィール３０の先端には、筆記チップ３１がチューブ体３４と接続して設けられ、チューブ体３４の内部のインクがこの筆記チップ３１から吐出される。さらに、収容筒体３３の内部には、加圧ガス３７が封入されている。また、収容筒体３３の外周には、外装部材３２が設けられており、湿度が増加するとガス透過度が上昇したり、膨潤する収容筒体３３を湿度から守る役目を果たしている。なお、収容筒体３３は、半透明の樹脂製で形成されており、具体的にはエチレンビニルアルコール共重合体（ＥＶＯＨ）で形成されている。外装部材３２も半透明の樹脂製で形成されており、具体的にはポリプロピレン（ＰＰ）で形成されている。その他、収容筒体３３に用いることができる材質としては、例えばポリビニルアルコール（ＰＶＡ）、ポリアクリルニトリル（ＰＡＮ）、ナイロンがあり、外装部材３２に用いることができる材質としては、例えばポリエチレン（ＰＥ）、ポリオレフィン、環状ポリオレフィン、ポリエチレンテレフタレート（ＰＥＴ）、塩化ビニリデンがある。なお、チューブ体３４は、透明のポロプロピレン（ＰＰ）で形成されている。チューブ体３４、収容筒体３３及び外装部材３２が透明若しくは半透明で形成すれば、内部の視認が可能となり、例えば、内部のインク残量の把握が可能となる。金属製部材３２ｂは、ステンレス製であり、管状に形成されるとともに、その前端部を内方に折曲げてある。この金属製部材３２ｂを外挿し、接合部材３６と収容筒体３３との接合箇所などを覆うことで、接合箇所の強度を増加させているとともに、リフィール３０の外観に高級感を付与している。
【００１５】
図３は、軸筒１０の縦断面図を示したものである。軸筒１０の後端には、ねじ部１０ａが設けられ、ノック機構部９０が螺着される。軸筒１０の外表面前方には、ユーザーにより把持されるグリップ部１０ｅが形成されている。グリップ部１０ｅの外表面には、軟質部１０ｆが形成され、ユーザーの把持感を向上させる。軸筒１０の前端には、先端孔１０ｄが形成され、その後方には、複数の長手方向に形成された縦リブ１０ｃが形成されており、筆記チップ３１が前後動する際に筆記チップ３１を案内するとともに、筆記時のガタツキを防止する。
【００１６】
軸筒１０の内周面には、軸筒１０の長手方向に沿って突出部１０ｂが形成されている。図４にも示すように、この突出部１０ｂは周方向に９０°間隔で４本形成されている。各突出部１０ｂは、円形である軸筒１０の内周面の一部を平坦な面としたものである。
内部のリフィール３０をノック機構部９０を用いて前後動させると、リフィール３０の金属製部材３２ｂの胴部３２ｃ及び胴部３２ｃの前方に形成された非露出部３２ｄがこの突出部１０ｂの表面を摺動するようになる（図１も参照）。非露出部３２ｄは、管状の金属製部材３２ｂの前方端部を内方に折曲げたものであり、端部が露出していない。このように、金属製部材３２ｂの後方に形成された端部が露出した露出部３２ｅを突出部１０ｂに摺動させずに、胴部３２ｃ及び端部が露出していない非露出部３２ｄを突出部１０ｂに当接させるようにしたため、突出部１０ｂに擦過傷が発生することを軽減することができる。また、金属製部材３２ｂに傷の発生を抑制するメッキを施したり、摺動部に潤滑油等を施すこともできる。
摺動する部材の一方を金属製としたため、軸筒及びリフィールが樹脂製のものに比べ、摺動抵抗を減らすことができる。また、軸筒１０の内壁には、内方に突出した突出部１０ｂを形成し、この突出部１０ｂに金属製部材３２ｂを摺動させるようにしたため、単に円筒状の軸筒にくらべ、金属製部材３２ｂが摺動する面積を減らすことが可能になる。これらのため、ユーザーに軽快なノック感を与えるノック式筆記具を提供することが可能となる。
【００１７】
軸筒１０及び軸筒１０の外表面に形成された軟質部１０ｆは、透明に形成され内部の視認が可能となっている。金属製部材３２ｂによる擦過傷は、突出部１０ｂの表面に形成されることになるが、この擦過傷が軸筒１０の外部から認識できるようになる。しかし、擦過傷が形成される箇所が、必ず突出部１０ｂの表面上になるため、意図しないで形成される傷に比べ、デザインを阻害することがなく、結果として外観上の価値を低下させることがない。
なお、突出部１０ｂは図４に示すように円形状の内周面の一部に平坦な面を形成したものに限られない。例えば、散点状の突起を形成することもできるし、軸筒１０の長手方向に沿って形成されたリブ状のようなものも考えられる。
突出部１０ｂの間には金属製部材３２ｂの摺動が行われない無摺動部１０ｇが形成されており、かつ、この無摺動部１０ｇは、対向して形成されている。この傷が発生しない無摺動部１０ｇを通じて、軸筒１０の内部を視認可能とし、さらに、無摺動部１０ｇを対向して配置することで、一方の無摺動部１０ｇから内部を透視した場合に、対向した無摺動部１０ｇから光線が入り込むため、内部の透視状態が良好になっている。
【００１８】
次に図５を用いて、ノック機構部９０を説明する。ノック機構部９０には、いわゆる周知の回転子を用いたノック機構が用いられている。
軸筒１０の後端には内筒７０が螺合されており、内筒７０は軸筒１０の一部を成している。内筒７０の内周壁には、複数のカム溝及びカム溝の前端にカム面が形成されている。但し、図５には該カム溝及びカム面は図示されていない。
内筒７０の後端開口からは、ノック部材５０の後方が突出して配置されており、その外周面には内筒７０のカム溝に挿入される突起５１、前端縁には回転子６０の回転子カム面６２に係合するノック部材カム面５２が形成されている。
ノック部材５０の前方には、回転子６０が設けられており、回転子６０の前方外周面には、長手方向に沿って形成された複数の突条６１、突条６１の後端縁に形成され、内筒７０のカム面及びノック部材５０のノック部材カム面５２に係合する回転子カム面６２が形成されている。回転子６０の前方には、リフィール３０が設けられており、ノック部材５０に与えられる押圧力による回転子６０の前後動に連動してリフィール３０も軸筒１０内を前後動する。
【００１９】
リフィール３０先端の筆記チップ３１が軸筒１０内に没入した状態から軸筒１０の前方に配されたコイルスプリング４０の弾性力に抗してノック部材５０を前方（図中下方）に押圧すると、回転子６０が、ノック部材カム面５２により回転力を付与された状態で前進後、回転子６０の突条６１が軸筒１０のカム溝から外れ回転子６０が僅かに回転し、ノック部材５０への押圧を解除すると、コイルスプリング４０による後方へ付勢された回転子６０の回転子カム面６２が、内筒７０のカム面に係合することで、リフィール３０先端の筆記チップ３１が軸筒１０の先端開口から突出保持される。
リフィール３０先端の筆記チップ３１が軸筒１０の先端開口から突出保持された状態からノック部材５０の押圧を行うと、ノック部材カム面５２により回転子６０が回転力を付与された状態で前進後、回転子６０の回転子カム面６２と軸筒１０のカム面との係合が解除され、回転子６０が僅かに回転後、回転子６０の突条６１が軸筒１０のカム溝に入り込むことで、リフィール３０先端の筆記チップ３１が軸筒１０内に収納される。
【図面の簡単な説明】
【００２０】
【図１】本発明の実施形態を示す縦断面図である。
【図２】図１のリフィールを拡大して示した拡大縦断面図である。
【図３】図１の軸筒を拡大して示した拡大縦断面図である。
【図４】図３のＡ−Ａ線断面図である。
【図５】図１のノック機構部周辺を拡大して示した拡大縦断面図である。
【符号の説明】
【００２１】
１０  軸筒
１０ａ  ねじ部
１０ｂ  突出部
１０ｃ  縦リブ
１０ｄ  先端孔
１０ｅ  グリップ部
１０ｆ  軟質部
１０ｇ  無摺動部
３０  リフィール
３１  筆記チップ
３２  外装部材
３２ｂ  金属製部材
３２ｃ  胴部
３２ｄ  非露出部
３２ｅ  露出部
３３  収容筒体
３４  チューブ体
３５  チップ保持体
３６  接合部材
３７  加圧ガス
４０  コイルスプリング
５０  ノック部材
５１  突起
５２  ノック部材カム面
６０  回転子
６１  突条
６２  回転子カム面
７０  内筒
９０  ノック機構部
【図１】
2005125497.tif 000003
【図２】
2005125497.tif 000004
【図３】
2005125497.tif 000005
【図４】
2005125497.tif 000006
【図５】
2005125497.tif 000007